(57)【特許請求の範囲】
【請求項１】
トリコット基布がフィルムの両面に接着樹脂を介して積層された三層構造を有し、該トリコット基布がポリエステルフィラメントを含み、且つ生地中の閉じ目の編目が全編目の５５％以上であり、該フィルムがポリカーボネート系ポリウレタン樹脂を主成分とし、且つトリコット基布と同系色の光散乱性を有するものであり、接着樹脂がポリカーボネート系ポリウレタン樹脂を主成分とすることを特徴とする積層生地。
【請求項２】
フィルムの一方の面にトリコット基布が全面接着され、フィルムの全面接着された面の反対側の面にトリコット基布がドット接着され、且つドット接着における接着面積がフィルム全面中１０〜９０％であることを特徴とする請求項１記載の積層生地。
【請求項３】
フィルムの厚みが５〜５０μｍであることを特徴とする請求項１または２に記載の積層生地。
【請求項４】
接着樹脂の厚みが片面につき１０〜１００μｍであることを特徴とする請求項１から３のいずれかに記載の積層生地。
【請求項５】
トリコット基布に導電性繊維が含有されることを特徴とする請求項１から４のいずれかに記載の積層生地。
【請求項６】
帯電電荷密度が７μＣ／ｍ２以下であることを特徴とする請求項１から５のいずれかに記載の積層生地。
【請求項７】
請求項１から６のいずれかに記載の積層生地を用いてなる医療用被服。
【請求項８】
請求項１から６のいずれかに記載の積層生地を用いてなる医療用資材。
【発明の詳細な説明】
【技術分野】
【０００１】
本発明は、積層生地に関するものである。さらに、それを用いてなる衣料用被服および医療用資材に関するものである。
【背景技術】
【０００２】
従来から、手術衣、感染防護衣などの医療用被服や、手術ドレープ、シーツ、手術道具をパッケージする袋などの医療用資材などの生地として、バクテリアバリア性および耐湿熱性を有するフィルムに、ポリエステルフィラメントからなるトリコット基布を積層加工した生地が提案されている（例えば、特許文献１，特許文献２参照）。
【０００３】
これらの生地は、過酷な洗濯・滅菌処理への優れた耐久性と、手術中の血液や体液を媒介とする二次感染を抑制する効果を有するものである。加えて、高い伸縮性や吸水・保水能力等、快適性にも優れており、医療用テキスタイル全般に好適に使用されている。
【先行技術文献】
【特許文献】
【０００４】
【特許文献１】特開２００８−６６６４号公報
【特許文献２】特開２００９−２４０４４８号公報
【発明の概要】
【発明が解決しようとする課題】
【０００５】
しかしながら、特許文献１、特許文献２の場合は、軽量性の観点から、目付を低く抑えるために、トリコット基布を非常に薄くする必要がある。そのため、このトリコット基布は、編立・染色・積層などの加工時に、伝線したり、斜行や湾曲したりする場合がある。伝線、斜行、湾曲などが発現する場合は、バクテリアバリア性を有するフィルムを保護する性能が低下したり、洗濯・滅菌時にトリコット基布が剥離したりするという問題がある。
【０００６】
また、トリコット基布が薄い為に、洗濯・滅菌による変色や退色が目立ちやすくなる場合がある。さらに、フィルムを透過した片面のトリコット基布の組織柄が、反対面のトリコット基布と重なることで、外観欠点であるモアレ（つまり、トリコット基布が重なった際の編組織のズレによって発生する波型の干渉縞）が発生するという問題があった。その結果として、このような積層生地を医療用途に用いた場合には、モアレを見た直後に患部を見ると、目の疲れが誘発されたり、モアレの補色残像が患部と重なったりすることに起因する誤診が発現したりする懸念がある。
【０００７】
さらに、使用するフィルムの厚みが厚すぎたり、基布の貼り合せ条件に起因して硬すぎたりした場合には、トリコット基布の柔軟性を十分に発揮できない場合がある。一方、使用するフィルムの厚みが薄すぎたり、基布の貼り合せ条件に起因して軟らか過ぎたりした場合には、このような積層加工生地から被服や資材を得た場合に、着用時や、洗濯・滅菌時において、積層生地が破れや剥離を引き起こす場合がある。
【０００８】
そこで、本発明は、トリコット基布の柔軟性を維持しつつ、トリコット基布の伝線や剥離、およびモアレを抑制または防止しうる積層生地を提供することを技術的な課題とするものである。
【課題を解決するための手段】
【０００９】
本発明者らは上記課題を解決する為に鋭意研究の結果、本発明に到達した。
すなわち、本発明の趣旨は下記の通りである。
（１）トリコット基布がフィルムの両面に接着樹脂を介して積層された三層構造を有し、該トリコット基布がポリエステルフィラメントを含み、且つ生地中の閉じ目の編目が全編目の５５％以上であり、該フィルムがポリカーボネート系ポリウレタン樹脂を主成分とし、且つトリコット基布と同系色の光散乱性を有するものであり、接着樹脂がポリカーボネート系ポリウレタン樹脂を主成分とすることを特徴とする積層生地。
（２）フィルムの一方の面にトリコット基布が全面接着され、フィルムの全面接着された面の反対側の面にトリコット基布がドット接着され、且つドット接着における接着面積がフィルム全面中１０〜９０％であることを特徴とする（１）の積層生地。
（３）フィルムの厚みが５〜５０μｍであることを特徴とする（１）または（２）の積層生地。
（４）接着樹脂の厚みが片面につき１０〜１００μｍであることを特徴とする（１）から（３）のいずれかの積層生地。
（５）トリコット基布に導電性繊維が含有されることを特徴とする（１）から（４）のいずれかの積層生地。
（６）帯電電荷密度が７μＣ／ｍ２以下であることを特徴とする（１）から（５）のいずれかの積層生地。
（７）（１）から（６）のいずれかの積層生地を用いてなる医療用被服。
（８）（１）から（６）のいずれかの積層生地を用いてなる医療用資材。
【発明の効果】
【００１０】
本発明の積層生地は、トリコット基布の柔軟性を維持しつつ、トリコット基布の伝線・斜行・湾曲や剥離、またはモアレの発現を防止することができる。そのため、着用及び洗濯・滅菌時の破損や、モアレによる目の疲れ等を防止し、さらに着用者の防護性や快適性を守ることが出来る。
【図面の簡単な説明】
【００１１】
【図１】マンセル色相環を示す図である。
【発明を実施するための形態】
【００１２】
以下、本発明を詳細に説明する。
本発明の積層生地は、トリコット基布がフィルムの両面に接着樹脂を介して積層された三層構造を有するものである。
【００１３】
本発明において、トリコット基布はフィルムを保護するために用いられるものであり、表面の空隙が少なく、適度な伸縮性と寸法安定性を有するという利点がある。このトリコット基布は、ポリエステルフィラメントを含むものである。ポリエステルを用いることで、強度、寸法安定性、耐久性、染色堅牢度に優れ、また製編性にも良好であるという利点がある。
【００１４】
トリコット基布中のポリエステルフィラメントの割合は、強度や寸法安定性の観点から、８０〜１００質量％であることが好ましく、９５〜１００質量％であることがより好ましい。
【００１５】
ポリエステルフィラメントの原料としては、ポリエチレンテレフタレート、ポリプロピレンテレフタレート、ポリブチレンテレフタレート等が挙げられる。なかでも、強度や寸法安定性、染色堅牢度の観点から、ポリエチレンテレフタレートが好ましい。さらに、ポリエステルフィラメントを構成するポリマーの重合度を増加したり、該ポリマーの末端基を封鎖したりすることなどによって、アルカリや湿熱滅菌に対する耐加水分解性を向上させることが可能となる。
【００１６】
トリコット基布は、フィラメントから構成されることが必要である。フィラメントから構成されることにより、紡績糸から構成される場合と比較して、毛羽が脱落することを抑制し、低発塵性の観点において優れるという効果を奏することができる。
【００１７】
このフィラメントの形態は、特に限定されるものではないが、柔軟性やストレッチ性の観点から、加工糸が好ましく、特に捲縮加工糸が好適である。捲縮加工糸は、嵩高である為にフィルムに積層した場合のフィルムに対する防護性が高いものとなる。さらに、伸縮性や寸法安定性に優れる。加えて接着樹脂が良好に浸透するため、トリコット基布とフィルムとの間の剥離強力が向上するという利点がある。なお、トリコット基布を構成するポリエステルフィラメントを得る方法は、特に限定されるものではなく、公知の手法を用いればよい。特に、仮撚加工であれば、適度な捲縮を有する加工糸を容易に安定して採取することができるため、好ましい。
【００１８】
トリコット基布を構成するポリエステルフィラメントの繊度は、特に制限されないが、三層に積層した際の生地重量の観点から、１５〜１１０デシテックスであることが好ましく、３０〜８５デシテックスであることがより好ましい。
【００１９】
トリコット基布は、軽量性の観点から、なるべく薄いほうが好ましく、例えば、目付１２０ｇ／ｍ２以下であることが好ましく、特に手術衣等の医療用被服に使用する際には７０ｇ／ｍ２以下であることが好ましい。しかしながら、薄すぎる場合には、基布編立、染色、または積層などの工程の間おいて張力がかかる際に、伝線や斜行、湾曲などを起こすという問題がある。これらの問題を防止する為に、トリコット基布には生地中の閉じ目の編目が全編目の５５％以上である編組織を用いることが必要であり、好ましくは、生地中の閉じ目の編目が全編目の８０％以上である。さらに、閉じ目の編目の割合が５５％以上であることにより、トリコット基布の寸法安定性が向上するという効果がある。
【００２０】
トリコット基布においては、伝線や斜行、湾曲などを防止し、寸法安定性を向上させる観点から、タテ・ヨコ・ナナメ方向に開き目の編目が、２つ以上連続しないことが好ましい。
【００２１】
トリコット基布には、静電気を防止することを目的として、導電性繊維が含まれていてもよい。導電性フィラメントをトリコット基布に含有させる方法としては、特に制限されないが、例えば、トリコット基布を構成するポリエステルフィラメントと導電性繊維を合撚して合撚糸を得、この合撚糸からトリコット基布を得る方法などが挙げられる。なお、導電性繊維としては、特に制限されず、金属繊維や、導電性材料を練り込んだ繊維などが挙げられる。
【００２２】
生地の制電性能としては、帯電電荷密度が７μＣ／ｍ２以下であることが好ましく、０．１〜４μＣ／ｍ２であることがより好ましい。この性能を満たす為には、トリコット基布中に導電性繊維を１〜２本／ｃｍ程度の割合で配列させればよい。
【００２３】
本発明に用いられるフィルムは、バクテリアバリア性を有するものである。バクテリアバリア性を有することにより、本発明の積層生地が手術衣などの医療用被服や、手術ドレープなどの医療用資材に用いられる際に、手術中における血液や体液を媒介とする感染を防止することができる。
【００２４】
また、近年、医療用に用いられる生地は、１３０〜１３５℃程度の高温で湿熱滅菌処理が行われる場合が多い。そのため、該フィルムには、高い耐湿熱耐久性および耐熱性が要求される。そのため、該フィルムは、耐湿熱耐久性および耐熱性に優れるポリカーボネート系ポリウレタン樹脂を主成分とすることが必須である。なお、「主成分とする」とは、フィルム全量に対して９０重量％以上のポリカーボネート系ポリウレタン樹脂を含有することを言う。
【００２５】
本発明においては、フィルムの両面にトリコット基布を積層することが必要である。フィルムの片面のみにトリコット基布を積層する場合や、トリコット基布をフィルム表面にまったく積層していない場合は、本発明の積層生地から製造された衣料用被服や衣料用資材を着用する際や洗濯・滅菌したりする際に、トリコット基布を積層していない側のフィルムが損傷する。そのため、手術中における血液や体液を媒介とした感染に対する防護性が低下したり、滅菌時にフィルム面同士が貼り付いて、破れや剥離を起こしたりするという問題が発生する。
【００２６】
フィルムの厚みは５〜５０μｍであることが好ましく、より好ましくは９〜３０μｍである。このような厚みの範囲とすることで、耐久性と柔軟性を兼ね備えた積層生地とすることができる。フィルムの厚みが５μｍ未満の場合は、フィルムの強力に劣り、着用や洗濯・滅菌の際に破れたりする場合がある。一方、フィルム厚みが５０μｍを超える場合、積層生地が硬くなって柔軟性や風合を損ねたり、フィルムの形成時にピンホール等の欠点を発生したりする場合がある。
【００２７】
本発明に使用されるフィルムは、トリコット基布と同系色に着色されている必要がある。その理由は、以下の通りである。すなわち、近年の湿熱滅菌処理温度の上昇により、トリコット基布の変色や退色がより多く発現するようになってきている。そのため、トリコット基布と貼り合わされているフィルムが着色されていれば、トリコット基布が退色しても、フィルムの色目がトリコット基布の間から透けて見えることで、変色や退色を目立ちにくくすることが可能になるからである。
【００２８】
本発明において、フィルムの色相をトリコット基布と同系色にするとは、実際には、図１に示すマンセル色相環における連続する３グループの色相であることをいう。
本発明においては、トリコット基布とフィルムの色相は、青系及び緑系であることが好ましい。青系及び緑系の色相は、血液の色目である赤系色の補色であるため、補色による残像を抑制する効果に優れる。その結果、本発明の積層生地を医療用途に用いた場合に、目の疲れが誘発されたり、生地欠点部の補色残像が患部と重なったりすることに起因する誤診が発現したりすることを防止できる。より具体的には、トリコット基布とフィルムの色相は、マンセル色相環における黄緑（ＧＹ）、緑（Ｇ）、青緑（ＢＧ）、青（Ｂ）、青紫（ＰＢ）の範囲内の色相が好ましく、緑（Ｇ）、青緑（ＢＧ），青（Ｂ）の範囲内の色相であることがより好ましい。
【００２９】
フィルムの色相をトリコット基布と同系色に着色するための方法は、特に制限されるものではないが、洗濯・滅菌への耐久性の観点から、フィルムに使用する樹脂に、各種の顔料を適量添加する方法が好ましい。
【００３０】
本発明に使用されるフィルムは、光を散乱させる効果を有するフィルムであることが必要である。本発明においては、光を散乱させる性質（光散乱性）を「不透過性」と称し、光を散乱させずにそのまま透過させる性質を「透過性」と称する。つまり、本発明に使用されるフィルムは不透過性を有するフィルムであることが必要である。フィルムが透き通った透過性タイプである場合は、フィルムを透過した片面のトリコット基布の組織柄が、反対面のトリコット基布と重なることによりモアレを発生する。このモアレにより、目の疲れを誘発し、医療行為中の事故に繋がる懸念がある。
【００３１】
なお、本発明において、フィルムが透過性タイプか不透過性タイプかを判断する基準は、以下の通りである。すなわち、三層の積層生地にした際に、肉眼でモアレを確認できないものを不透過性タイプと判断し、肉眼でモアレを確認できるものを透過性タイプであると判断する。
【００３２】
不透過性を有するフィルムを得る方法としては、例えば、フィルムに使用する樹脂に、二酸化チタン等の防透性を有するセラミックや、不透過性の顔料等を配合することが挙げられる。
【００３３】
フィルムには、本発明の効果を損なわない範囲内で、抗菌剤や難燃剤などの添加剤が配合されていてもよい。
【００３４】
トリコット基布とフィルムとは、接着樹脂を介して積層される。この接着樹脂は、ポリカーボネート系ポリウレタン樹脂を主成分とする必要がある。ポリカーボネート系ポリウレタン樹脂は、処理温度が１３０〜１３５℃程度の高温で行われる近年の湿熱滅菌処理においても、十分な耐湿熱耐久性および耐熱性を有するという利点がある。
【００３５】
接着樹脂には、本発明の効果を損なわない範囲で、架橋剤、触媒などの添加剤が含有されていてもよい。
【００３６】
接着樹脂の厚みは、フィルムの片面につき１０〜１００μｍであることが好ましく、より好ましくは２５〜５０μｍである。接着樹脂の厚みを上述の範囲とすることで、着用時や洗濯・滅菌時におけるトリコット基布とフィルムとの剥離を抑制し、かつ積層生地の柔軟性を兼ね備えることが可能になる。接着樹脂の厚みが１０μｍ未満の場合は、剥離強力の低下や着用時や洗濯・滅菌により剥離が発生する場合がある。一方、接着樹脂の厚みが１００μｍを超える場合には、接着強度にはほとんど影響しないうえに、過剰な接着樹脂がトリコット基布の接着樹脂が施されていない側にまで浸み出す場合がある。
【００３７】
トリコット基布とフィルムの積層加工は、特に制限されないが、例えば、離型紙を用いた公知の方法で行うことが出来る。すなわち、まず、離型紙にフィルム材料（つまり、ポリカーボネート系ポリウレタン樹脂を主成分とする材料）をコーティングしてフィルムを形成する。そして、フィルム表面に接着樹脂（つまり、ポリカーボネート系ポリウレタン樹脂を主成分とする接着樹脂）をコーティングする。次いで、トリコット基布を貼り合せて、熱プレスなどを施すことにより、積層生地を得ることが出来る。フィルムの両面に対してトリコット基布を貼り合せることで、三層構造を有する積層生地を得ることが出来る。
【００３８】
トリコット基布とフィルムを積層する際に、フィルムの一方の面においては、トリコット基布とフィルムとを全面接着することが好ましい。全面接着することで接着強度を向上させることができ、着用時や洗濯・滅菌時における、トリコット基布とフィルムとの剥離を抑えることが可能になる。加えて、生地に程よい硬さを付与することができ、強度面においても優れるものとなる。
【００３９】
一方、フィルムの全面接着側の反対側の面においては、トリコット基布とフィルムとをドット接着により積層することが好ましい。ドット接着することにより、トリコット基布の風合を低下させることなく、積層生地の柔軟性を維持することができる。すなわち、本発明においては、全面接着とドット接着を組み合わせることにより、耐久性、強度、風合い、柔軟性を兼ね備えた積層生地を得ることができる。
【００４０】
ドット接着における接着面積は、フィルム全面中、１０〜９０％であることが好ましく、４０〜７０％であることがより好ましい。ドット接着の接着面積が１０％未満の場合、剥離強力が低下したり、着用や洗濯・滅菌により剥離が発生したりする場合がある。一方、９０％を超える場合には、十分な柔軟性を維持することが困難となる場合がある。また、モアレが発現する現象において、接着樹脂のドット状の形状とトリコット基布の組織柄とが重なることで外観欠点が発現しやすくなるという問題がある。
【００４１】
トリコット基布をフィルムに全面接着する方法は、特に制限されず、公知慣用の方法でフィルム表面に接着樹脂をコーティング・積層し、トリコット基布を貼り合せて、プレスすることなどが挙げられる。一方、トリコット基布をフィルムにドット接着する方法は、特に制限されないが、例えば、接着樹脂を積層するためのローラーとして、グラビアロールを使用する方法が挙げられる。グラビアロールの形状を調整することによって、接着面積や接着樹脂の厚みを制御することが容易となる。一般的に、ドット接着を施した場合は、グラビアロールの凹凸などによって、トリコット基布が部分的に異なった力を受けることに起因して、伝線などが発生しやすくなるという問題がある。しかしながら、本発明においては、トリコット基布の開き目の編組織を５５％以上とすることによって生地を安定化させえることが可能となるため、伝線などの問題を抑制することが可能になる。
【００４２】
なお、本発明において、トリコット基布とフィルムとをドット接着した側の剥離強力は、洗濯・滅菌を１００回行った際においても、７Ｎ／２．５４ｃｍ以上を維持していることが望ましい。
【００４３】
トリコット基布において、積層加工が行われる面（つまり、接着樹脂が施される面）は限定されるものではなく、アンダーラップ側、ループ側のどちらを貼り合せてもよい。生地の耐摩耗性や剥離強度の観点からは、アンダーラップ側を積層加工が行われる面とし、ループ側を表層面として用いることが好ましい。
【００４４】
本発明の積層生地は、耐久性に優れるため、洗濯・滅菌による繰り返しの使用が可能である。洗濯・滅菌処理の条件の一例としては、ワッシャー型洗濯機を用い、温度７０℃、ｐＨ９、浴比１：３０、洗剤１ｇ／Ｌの条件で、２０分処理した後、すすぎ、脱水、乾燥を行い、オートクレーブを用いて、１３５℃で８分湿熱滅菌処理を行う工程を１回の処理とすることが例示される。
【００４５】
本発明においては、この洗濯・滅菌処理を１００回繰り返し行った後の収縮率が、タテ方向、ヨコ方向において、ともに２０％以内であることが好ましく、１５％以内であることがより好ましい。加えて、本発明においては、繰り返し使用の観点から、この洗濯・滅菌処理を１００回行っても、積層生地の剥離や破れが少ないことが好ましい。
【００４６】
本発明の積層生地において、帯電電荷密度は７．０μＣ／ｍ２以下であることが好ましく、０．１〜４．０μＣ／ｍ２であることがより好ましい。帯電電化密度をこの範囲とすることにより、本発明の積層生地を実使用に付した場合に、医療用の精密機器に対する静電気の悪影響を低減させることが可能になる。
【００４７】
本発明の積層生地を用いて、手術衣などの医療用被服や、手術資材などの医療用資材を作製することが出来る。この際、積層生地を全面に用いてもよいし、患部に近接する箇所のみに部分的に使用してもよい。
【００４８】
例えば、本発明の積層生地を医療用被服用途に使用する場合には、身体の前面部及び腕部に本発明の積層生地を使用し、他の部分には通常の耐久撥水加工が施された高密度織物を用いてもよい。同様に、本発明の積層生地を医療用資材用途に使用する場合には、患部の周辺に本発明の積層生地を用い、患部から離れた場所には通常の耐久撥水加工された高密度織物を用いてもよい。
【００４９】
本発明の積層生地を医療用被服用途や医療用資材用途に使用する際には、必要に応じて、公知慣用の吸水加工や撥水加工が施されていてもよい。例えば、積層生地において、肌に接する面に吸水加工を行い、その反対側の面に撥水加工を行うことで、肌側の吸汗性を向上させ、同時に表層側において血液や体液による感染防護性を向上させることができる。
【００５０】
また、本発明の積層生地を医療用資材用途に使用する際には、積層生地の肌に接する面に吸水加工を行い、その反対側の面に撥水加工を行うことで、血液や体液を医療用資材に吸水し保持することができ、同時に表層側においては防水性を向上させることができる。
【００５１】
なお、本発明の医療用被服や医療用資材において、肌に接する面は、全面接着面、ドット接着面のいずれであってもよいが、外側の方が血液や体液等へのバリア性を高くする必要があることから、ドット接着面であることが好ましい。
【実施例】
【００５２】
次に、実施例により本発明をさらに具体的に説明するが、本発明はこれらによって限定されるものではない。
なお、実施例、比較例における各種性能評価は、下記の方法で行った。
【００５３】
〔洗濯・滅菌耐久性〕
ワッシャー型洗濯機を用い、積層生地を温度７０℃、ｐＨ９、浴比１：３０、１ｇ／Ｌの洗剤で２０分間洗濯処理した後、常温の水で４分×５回すすぎを行い、脱水・乾燥した。次いで、オートクレーブを用いて、１３５℃で８分間湿熱滅菌処理を行う工程を１回の処理とした。上記の処理を１００回繰り返した後の、積層生地のタテ方向、ヨコ方向における寸法変化率を以下の式により求めた。
（寸法変化率）（％）＝［（洗濯・滅菌処理後の寸法）／（洗濯・滅菌処理前の寸法）］×１００
さらに、剥離・破れ等の破損有無、生地の退色状況を目視で確認した。
【００５４】
〔基布欠点発生数〕
実施例及び比較例で得られた積層生地において、検反において両面のトリコット基布の欠点箇所数を計測し、該積層生地における単位長さあたりの個数（個／１００ｍ）に換算して求めた。
【００５５】
〔生地風合評価〕
ＪＩＳ  Ｌ−１０９６（剛軟度測定、ハンドルオメーター法）に従って剛軟性の評価を行った。単位をＮで示した。
【００５６】
〔耐水圧〕
実施例及び比較例で得られた積層生地において、積層加工生地の初期（加工上がり）、洗濯・滅菌処理を５０回繰り返した後、および１００回繰り返した後に、ＪＩＳ  Ｌ−１０９２（耐水度、低水圧法、１０ｃｍ／ｍｉｎ）に従って測定を行った。単位をｃｍで示した。
【００５７】
〔剥離強力〕
実施例及び比較例で得られた積層生地において、積層生地の初期（加工上がり）、および洗濯・滅菌処理を１００回繰り返した後について、ＪＩＳ  Ｌ−１０８９（剥離強さ）に従って測定を行った。単位をＮ／２．５ｃｍで示した。
【００５８】
〔生地外観測定〕
実施例および比較例で得られた積層生地において、全面接着側の面、およびドット接着側の面から見た外観状態を目視で確認した。以下の基準で評価した。
○：モアレや編欠点等の外観欠点がなく全く無い。
△：モアレや編欠点等の外観欠点が、多少見受けられる。
×：モアレや編欠点等が、多く見受けられる。
【００５９】
〔帯電電荷量〕
実施例および比較例で得られた積層生地において、ＪＩＳ  Ｌ−１０９４（帯電電荷量測定、生地評価）に従って測定を行った。摩擦布として、アクリル製布およびナイロン製布を用いた。単位をμＣ／ｍ２で示した。
【００６０】
（実施例１）
日本マイヤー社製２８ゲージトリコット編機を用い、以下の手順でトリコット基布Ａを作製した。ポリエチレンテレフタレートフィラメントの仮撚加工糸５６デシテックス／３６フィラメント（ユニチカトレーディング社製）に、ポリエチレンテレフタレートフィラメントの仮撚加工糸５６デシテックス／３６フィラメント（ユニチカトレーディング社製）とポリエチレンテレフタレート導電性フィラメント原糸２８デシテックス／２フィラメント（組成：ポリエチレンテレフタレート、導電性セラミック微粒子含有、ユニチカトレーディング社製、商品名「メガーナ（登録商標）Ｅ」）とをＺ撚３００Ｔ／Ｍで合撚した糸を、２本／吋のピッチで配列させた。そして、組織が、１−０／２−１／２−３／１−２である閉じ目のシングルアトラストリコット編地を編立した。次いで、分散染料を用いて、マンセル色相環で５Ｂに相当する青系の色目に、公知の条件で染色加工を実施し、トリコット基布Ａ（生地密度：４４ウェール／２．５４ｃｍ×６５コース／２．５４ｃｍ）を作製した。
【００６１】
そして、ポリプロピレン製押出ラミネート離型紙を用い、ポリカーボネートポリウレタン樹脂に不透過の顔料を添加した樹脂を用いて、マンセル色相環で５Ｂに相当する青系の色目で膜厚１４μｍのフィルムを調製した。このフィルムに、トリコット基布Ａのアンダーラップ側を、ポリカーボネート系ポリオール樹脂に芳香族系ポリイソシアネート架橋剤とアミン系促進剤を加えた接着樹脂を用いて、接着面積を全面接着の５０％、接着樹脂の厚みが２４μｍとなるように調整したグラビアロールで、温度１００℃×線圧１．５ｋｇ／ｃｍの条件で加圧してドット接着し、常温下で４８時間放置・熟成して、二層積層生地を作製した。
【００６２】
次に、この二層積層生地の離型紙を剥離したフィルム面に、トリコット基布Ａのアンダーラップ側を、ドット接着に用いた接着樹脂と同様の接着樹脂を用い、ドットのないフラットなロールを用いて接着樹脂の厚みが３７μｍとなる様に、ドット接着と同様の条件で加圧接着を行い、常温下で４８時間放置・熟成して、三層積層生地を作製した。
【００６３】
この三層積層生地の両耳端をカットして巾を揃えた後、表裏両面にフッ素系撥水剤を用いて撥水加工を施し、目付１５２．５ｇ／ｍ２の本発明の積層生地を得た。
【００６４】
（実施例２）
上述の２８ゲージトリコット編機を用い、フロントの筬にポリエチレンテレフタレートフィラメント原糸６０デシテックス／１８０フィラメント（ユニチカトレーディング社製）を配し、バックの筬にポリエチレンテレフタレートフィラメント３３デシテックス／１２フィラメント（ユニチカトレーディング社製）において、ポリエチレンテレフタレート製の導電性フィラメント２８デシテックス／２フィラメント（組成：ポリエチレンテレフタレート、導電性セラミック微粒子含有、ユニチカトレーディング社製、商品名「メガーナ（登録商標）Ｅ」）を２本／吋のピッチで配列した。そしてフロントの筬組織が２−３／１−０であり、バックの筬組織が１−０／１−２である閉じ目のハーフトリコット編地を編立した。この編地に（分散染料）を用いて、マンセル色相環で５Ｂに相当する青系の色目で公知の条件で染色加工を実施し、次いで、液流染色浴中処理の条件で吸水加工を施して、生地密度が、３５ウェール／２．５４ｃｍ×５２コース／２．５４ｃｍであるトリコット基布Ｂを作製した。
【００６５】
トリコット基布Ａに代えてトリコット基布Ｂを用いた以外は、実施例１と同様にして三層積層生地を作製した。そして、両耳端をカットして巾を揃えた後、トリコット基布Ｂ側にフッ素系撥水剤を用いて撥水加工を施し、目付２１０．２ｇ／ｍ２の本発明の積層生地を得た。
【００６６】
（実施例３）
上述の２８ゲージトリコット編機を用い、ポリエチレンテレフタレートフィラメントの仮撚加工糸５６デシテックス／３６フィラメント（ユニチカトレーディング社製）に、ポリエチレンテレフタレートフィラメントの仮撚加工糸５６デシテックス／３６フィラメント（ユニチカトレーディング社製）とポリエチレンテレフタレート導電性フィラメント原糸２８デシテックス／２フィラメント（組成：ポリエチレンテレフタレート、導電性セラミック微粒子含有、ユニチカトレーディング社製、商品名「メガーナ（登録商標）Ｅ」）とをＺ撚（３００Ｔ／Ｍ）で合撚した糸を、２本／吋のピッチで配列した。そして、組織が、１−０／２−１／２−３／２−１の開き目を２５％含んだシングルアトラストリコット編地を編立した。この編地に、分散染料を用いて、マンセル色相環で５Ｂに相当する青系の色目で公知の条件で染色加工を実施し、生地密度が、４４ウェール／２．５４ｃｍ×６５コース／２．５４ｃｍのトリコット基布Ｃを作製した。
【００６７】
このトリコット基布Ｃを両面に用い、ドット接着の条件を、接着面積が全面接着の７０％、接着樹脂の厚みが２４μｍとなるように調整した以外は、実施例１と同様にして三層積層生地を作製した。そして、両耳端をカットして巾を揃えた後、両面にフッ素系撥水剤を用いて撥水加工を施し、目付１５３．８ｇ／ｍ２の本発明の積層生地を得た。
【００６８】
（実施例４）
上述の２８ゲージトリコット編機を用い、ポリエチレンテレフタレートフィラメントの仮撚加工糸５６デシテックス／３６フィラメント（ユニチカトレーディング社製）のみを用い、組織が、１−０／２−１／２−３／１−２の閉じ目のシングルアトラストリコット編地を編立した。この編地に分散染料を用いて、マンセル色相環で５Ｂに相当する青系の色目で公知の条件で染色加工を施し、生地密度が４４ウェール／２．５４ｃｍ×６５コース／２．５４ｃｍのトリコット基布Ｄを作製した。
【００６９】
このトリコット基布Ｄをフィルムの両面に用いた以外は、実施例１と同様に三層積層生地を作製した。そして、両耳端をカットして巾を揃えた後、表裏両面にフッ素系撥水剤を用いて撥水加工を施し、目付１５１．０ｇ／ｍ２の本発明の積層生地を得た。
【００７０】
（実施例５）
ポリプロピレン製押出ラミネート離型紙を用い、ポリカーボネートポリウレタン樹脂に、不透過の顔料を添加した樹脂を用いて、マンセル色相環で５Ｂに相当する青系の色目で膜厚７０μｍのフィルムを調製した。このフィルムの両面に、実施例１で得られたトリコット基布Ａを、実施例１における全面接着およびドット接着と同様の条件で積層加工し、三層積層生地を作製した。そして、両耳端をカットして巾を揃えた後、表裏両面にフッ素系撥水剤を用いて撥水加工を施し、目付１６２．４ｇ／ｍ２の本発明の積層生地を得た。
【００７１】
（実施例６）
ポリカーボネートポリウレタン樹脂に、不透過の顔料を添加して得られたマンセル色相環で５Ｂに相当する青系の色目で膜厚１２μｍのフィルムに、接着面積が全面接着の５％、接着樹脂の厚みが２４μｍとなるように調整したグラビアロールを用いた以外は、実施例１の全面接着と同様の条件で積層加工を行い、二層積層生地を作製した。
【００７２】
次に、この二層積層生地の離型紙を剥離したフィルム面に、トリコット基布Ａを、ドットのないフラットなロールを用いて実施例１と同様の積層加工を行い、三層積層生地を作製した。この三層積層生地の両耳端をカットして巾を揃えた後、両面にフッ素系撥水剤を用いて撥水加工を施し、目付１４８．８ｇ／ｍ２の本発明の積層生地を得た。
【００７３】
（実施例７）
実施例１と同様に調整したポリカーボネートポリウレタンに、不透過の顔料を添加したマンセル色相環で５Ｂに相当する青系の色目で膜厚１２μｍのフィルムに、接着面積が全面接着の５０％、接着樹脂の厚みが５μｍとなるように調整したグラビアロールを用いた以外は実施例１と同様のドット接着と同様の条件でドット接着を行い、二層積層生地を作製した。
【００７４】
次に、この二層積層生地の離型紙を剥離したフィルム面に、トリコット基布Ａを、ドットのないフラットなロールを用いて実施例１における全面接着の条件と同様の条件で全面接着を行い、三層積層生地を作製した。この三層積層生地の両耳端をカットして巾を揃えた後、両面にフッ素系撥水剤を用いて撥水加工を施し、目付１４８．８ｇ／ｍ２の積層生地を得た。
【００７５】
（実施例８）
ポリカーボネートポリウレタン樹脂に不透過の顔料を添加して得られたマンセル色相環で５Ｂに相当する青系の色目で膜厚１４μｍのフィルムの両面に、実施例１のトリコット基布Ａのアンダーラップ側を、ドットのないフラットなロールを用いて実施例１における全面接着と同様の条件で積層し、三層積層生地を作製した。この三層積層生地の両耳端をカットして巾を揃えた後、両面にフッ素系撥水剤を用いて撥水加工を施し、目付１７３．４ｇ／ｍ２の積層生地を得た。
【００７６】
（実施例９）
フィルムの両面にトリコット基布Ａのループ側を接着した以外は、実施例１と同様にして三層積層生地を作製した。そして、両耳端をカットして巾を揃えた後、両面にフッ素系撥水剤を用いて撥水加工を施し、目付１５２．５ｇ／ｍ２の積層生地を得た。
【００７７】
（実施例１０）
上述の２８ゲージトリコット編機を用い、ポリエチレンテレフタレートフィラメントの仮撚加工糸５６デシテックス／３６フィラメント（ユニチカトレーディング社製）に、ポリエチレンテレフタレートフィラメントの仮撚加工糸５６デシテックス／３６フィラメント（ユニチカトレーディング社製）とポリエチレンテレフタレート導電性フィラメント原糸２８デシテックス／２フィラメント（組成：ポリエチレンテレフタレート、導電性セラミック微粒子含有、ユニチカトレーディング社製、商品名「メガーナ（登録商標）Ｅ」）とをＺ撚（３００Ｔ／Ｍ）で合撚した糸を、２本／吋のピッチで配列した。そして、組織が、１−０／２−１／２−３／１−２／１−０／２−１／２−３／２−１／１−０／２−１／２−３／２−１／１−０／２−１／２−３／２−１の開き目を４５％含んだシングルアトラストリコット編地を編立した。この編地に、分散染料を用いて、マンセル色相環で５Ｂに相当する青系の色目で公知の条件で染色加工を実施し、生地密度が、４４ウェール／２．５４ｃｍ×６５コース／２．５４ｃｍのトリコット基布Ｆを作製した。
【００７８】
このトリコット基布Ｆを両面に用いた以外は、実施例１と同様にして三層積層生地を作製した。そして、両耳端をカットして巾を揃えた後、両面にフッ素系撥水剤を用いて撥水加工を施し、目付１５２．４ｇ／ｍ２の本発明の積層生地を得た。
【００７９】
（実施例１１）
実施例１と同様に調整したポリカーボネートポリウレタンに、不透過の顔料を添加したマンセル色相環で５Ｂに相当する青系の色目で膜厚１０μｍのフィルムに、接着面積が全面接着の１０％、接着樹脂の厚みが１０μｍとなるように調整したグラビアロールを用いた以外は実施例１と同様のドット接着と同様の条件でドット接着を行い、二層積層生地を作製した。
【００８０】
次に、この二層積層生地の離型紙を剥離したフィルム面に、トリコット基布Ａのアンダーラップ側を、ドット接着に用いた接着樹脂と同様の接着樹脂を用い、ドットのないフラットなロールを用いて接着樹脂の厚みが１０μｍとなる様に、ドット接着と同様の条件で加圧接着を行い、常温下で４８時間放置・熟成して、三層積層生地を作製した。
【００８１】
この三層積層生地の両耳端をカットして巾を揃えた後、表裏両面にフッ素系撥水剤を用いて撥水加工を施し、目付１４８．５ｇ／ｍ２の本発明の積層生地を得た。
【００８２】
（実施例１２）
実施例１と同様に調整したポリカーボネートポリウレタンに、不透過の顔料を添加したマンセル色相環で５Ｂに相当する青系の色目で膜厚５０μｍのフィルムに、接着面積が全面接着の９０％、接着樹脂の厚みが１００μｍとなるように調整したグラビアロールを用いた以外は実施例１と同様のドット接着と同様の条件でドット接着を行い、二層積層生地を作製した。
【００８３】
次に、この二層積層生地の離型紙を剥離したフィルム面に、トリコット基布Ａのアンダーラップ側を、ドット接着に用いた接着樹脂と同様の接着樹脂を用い、ドットのないフラットなロールを用いて接着樹脂の厚みが１００μｍとなる様に、ドット接着と同様の条件で加圧接着を行い、常温下で４８時間放置・熟成して、三層積層生地を作製した。
【００８４】
この三層積層生地の両耳端をカットして巾を揃えた後、表裏両面にフッ素系撥水剤を用いて撥水加工を施し、目付１７０．２ｇ／ｍ２の本発明の積層生地を得た。
【００８５】
（実施例１３）
ポリカーボネートポリウレタン樹脂に、不透過の顔料を添加して得られたマンセル色相環で５Ｂに相当する青系の色目で膜厚１２μｍのフィルムに、接着面積が全面接着の９５％、接着樹脂の厚みが２４μｍとなるように調整したグラビアロールを用いた以外は、実施例１の全面接着と同様の条件で積層加工を行い、二層積層生地を作製した。
【００８６】
次に、この二層積層生地の離型紙を剥離したフィルム面に、トリコット基布Ａを、ドットのないフラットなロールを用いて実施例１と同様の積層加工を行い、三層積層生地を作製した。この三層積層生地の両耳端をカットして巾を揃えた後、両面にフッ素系撥水剤を用いて撥水加工を施し、目付１５８．４ｇ／ｍ２の本発明の積層生地を得た。
【００８７】
（実施例１４）
ポリプロピレン製押出ラミネート離型紙を用い、ポリカーボネートポリウレタン樹脂に、不透過の顔料を添加した樹脂を用いて、マンセル色相環で５Ｂに相当する青系の色目で膜厚５μｍのフィルムを調製した。このフィルムの両面に、実施例１で得られたトリコット基布Ａを、実施例１における全面接着およびドット接着と同様の条件で積層加工し、三層積層生地を作製した。そして、両耳端をカットして巾を揃えた後、表裏両面にフッ素系撥水剤を用いて撥水加工を施し、目付１４６．８ｇ／ｍ２の本発明の積層生地を得た。
【００８８】
（実施例１５）
実施例１と同様に調整したポリカーボネートポリウレタンに、不透過の顔料を添加したマンセル色相環で５Ｂに相当する青系の色目で膜厚１２μｍのフィルムに、接着面積が全面接着の５０％、接着樹脂の厚みが１３０μｍとなるように調整したグラビアロールを用いた以外は実施例１と同様のドット接着と同様の条件でドット接着を行い、二層積層生地を作製した。
【００８９】
次に、この二層積層生地の離型紙を剥離したフィルム面に、トリコット基布Ａを、ドットのないフラットなロールを用いて実施例１における全面接着の条件と同様の条件で全面接着を行い、三層積層生地を作製した。この三層積層生地の両耳端をカットして巾を揃えた後、両面にフッ素系撥水剤を用いて撥水加工を施し、目付１７４．９ｇ／ｍ２の本発明の積層生地を得た。
【００９０】
（比較例１）
上述の２８ゲージトリコット編機を用い、ポリエチレンテレフタレートフィラメントの仮撚加工糸５６デシテックス／３６フィラメント（ユニチカトレーディング社製）に、ポリエチレンテレフタレートフィラメントの仮撚加工糸５６デシテックス／３６フィラメント（ユニチカトレーディング社製）とポリエチレンテレフタレート導電性フィラメント原糸２８デシテックス／２フィラメント（組成：ポリエチレンテレフタレート、導電性セラミック微粒子含有、ユニチカトレーディング社製、商品名「メガーナ（登録商標）Ｅ」）とをＺ撚（３００Ｔ／Ｍ）で合撚した糸を、２本／吋のピッチで配列した。そして、組織が１−０／１−２／２−３／２−１である開き目を５０％含んだシングルアトラストリコット編地を編立した。この編地にこの編地に分散染料を用いて、マンセル色相環で５Ｂに相当する青系の色目で公知の条件で染色加工を施し、生地密度が、４４ウェール／２．５４ｃｍ×６５コース／２．５４ｃｍのトリコット基布Ｅを作製した。
【００９１】
トリコット基布Ａに代えて、得られたトリコット基布Ｅを用いた以外は、実施例１と同様にして三層積層生地を作製した。そして、両耳端をカットして巾を揃えた後、両面にフッ素系撥水剤を用いて撥水加工を施し、目付１５１．５ｇ／ｍ２の積層生地を得た。
【００９２】
（比較例２）
ポリプロピレン製押出ラミネート離型紙を用い、ポリエステル系ポリウレタン樹脂に、不透過の顔料を添加した樹脂を用いて、マンセル色相環で５Ｂに相当する青系の色目で膜厚１４μｍのフィルムを作製した。
【００９３】
実施例１で得られたフィルムに代えて、上記のフィルムを用いた以外は、実施例１と同様にして三層積層生地を作製した。そして、両耳端をカットして巾を揃えた後、両面にフッ素系撥水剤を用いて撥水加工を施し、目付１５４．０ｇ／ｍ２の積層生地を得た。
【００９４】
（比較例３）
ポリプロピレン製押出ラミネート離型紙を用い、顔料を含まないポリカーボネートポリウレタン樹脂を用いて、膜厚１４μｍのフィルムを調製した。
【００９５】
実施例１で得られたフィルムに代えて、上記のフィルムを用いた以外は、実施例１と同様にして三層積層生地を作製した。そして、両耳端をカットして巾を揃えた後、両面にフッ素系撥水剤を用いて撥水加工を施し、目付１５１．８ｇ／ｍ２の積層生地を得た。
【００９６】
（比較例４）
ポリプロピレン製押出ラミネート離型紙を用い、ポリカーボネートポリウレタン樹脂に不透過の顔料を添加した樹脂を用いて、マンセル色相環で５Ｂに相当する青系の色目で膜厚１４μｍのフィルムを調製した。このフィルムに、トリコット基布Ａのアンダーラップ側を、耐熱性の無いポリウレタン樹脂に芳香族系ポリイソシアネート架橋剤とアミン系促進剤を加えた接着樹脂を用いて、接着面積を全面接着の５０％、接着樹脂の厚みが２４μｍとなるように調整したグラビアロールで、温度１００℃×線圧１．５ｋｇ／ｃｍの条件で加圧してドット接着し、常温下で４８時間放置・熟成して、二層積層生地を作製した。
【００９７】
次に、この二層積層生地の離型紙を剥離したフィルム面に、トリコット基布Ａのアンダーラップ側を、ドット接着に用いた接着樹脂と同様の接着樹脂を用い、ドットのないフラットなロールを用いて接着樹脂の厚みが３７μｍとなる様に、ドット接着と同様の条件で加圧接着を行い、常温下で４８時間放置・熟成して、三層積層生地を作製した。
【００９８】
この三層積層生地の両耳端をカットして巾を揃えた後、表裏両面にフッ素系撥水剤を用いて撥水加工を施し、目付１５４．３ｇ／ｍ２の積層生地を得た。
【００９９】
（比較例５）
実施例１と同様に調整した二層積層生地の両耳端をカットして巾を揃えた後、トリコット基布面にフッ素系撥水剤を用いて撥水加工を施し、目付９０．８ｇ／ｍ２の積層生地を得た。
【０１００】
（比較例６）
日本マイヤー社製２４ゲージトリコット編機を用い、ポリエチレンテレフタレート１００％紡績糸４０番手単糸（ユニチカトレーディング社製）に、ポリエチレンテレフタレート１００％紡績糸４０番手単糸（ユニチカトレーディング社製）とポリエチレンテレフタレート導電性フィラメント原糸（２８デシテックス／２フィラメント）（組成：ポリエチレンテレフタレート、導電性セラミック微粒子含有）（ユニチカトレーディング社製、商品名「メガーナ（登録商標）Ｅ」）とをＺ撚（３００Ｔ／Ｍ）で合撚した糸を、２本／吋のピッチで配列した。そして、組織が、１−０／２−１／２−３／１−２の閉じ目のシングルアトラストリコット編地を編立した。この編地に、分散染料を用いて、マンセル色相環で５Ｂに相当する青系の色目で公知の条件で染色加工を実施し、生地密度が、３５ウェール／２．５４ｃｍ×４０コース／２．５４ｃｍのトリコット基布Ｇを作製した。
【０１０１】
このトリコット基布Ｇを両面に用いた以外は、実施例１と同様にして三層積層生地を作製した。そして、両耳端をカットして巾を揃えた後、両面にフッ素系撥水剤を用いて撥水加工を施し、目付２８０ｇ／ｍ２の本発明の積層生地を得た。
【０１０２】
（比較例７）
ポリプロピレン製押出ラミネート離型紙を用い、ポリカーボネートポリウレタン樹脂に不透過の顔料を添加した樹脂を用いて、マンセル色相環で５Ｐに相当する紫系の色目で膜厚１２μｍのフィルムを調製した。このフィルムの両面に、実施例１で得られたマンセル色相環で５Ｂに相当する青系の色目のトリコット基布Ａを、実施例１における全面接着およびドット接着と同様の条件で積層加工し、三層積層生地を作製した。そして、両耳端をカットして巾を揃えた後、表裏両面にフッ素系撥水剤を用いて撥水加工を施し、目付１５２．５ｇ／ｍ２の積層生地を得た。
【０１０３】
実施例１〜１５および比較例１〜７で得られた積層生地についての評価結果を表１に示す。
【０１０４】
【表１】
0005539143.tif 000002
【０１０５】
表１から明らかなように、実施例１〜３及び実施例９〜１２の積層生地は、洗濯・滅菌耐久による寸法安定性や耐水圧等の強力保持性に優れ、風合や生地外観も良好で帯電電荷量も優秀な数値を示し、医療用被服や医療用資材に用いる生地として好適であった。
【０１０６】
実施例４は、導電性繊維をトリコット基布に使用していなかった為、帯電電荷量が大きいものであったが、十分に実使用に耐えうるものであった。
実施例５は、フィルムの厚みが好ましい範囲より過大であったため、柔軟性に改善の余地を残すものであった。
【０１０７】
実施例６は、ドット接着の接着面積が過少であったため、洗濯・滅菌処理後の耐水圧及び剥離強力に改善の余地を残すものであった。また、トリコット基布とフィルムが部分的に剥離を起こしていた。
【０１０８】
実施例７は、接着樹脂の厚みが過小であったため、洗濯・滅菌処理後の耐水圧及び剥離強力に改善の余地を残すものであった。また、トリコット基布とフィルムが部分的に剥離を起こしていた。
【０１０９】
実施例８は、フィルムの両面にトリコット基布を全面接着したため、トリコット基布の柔軟性を損ねてしまい、風合的にソフトさに欠けるものとなった。
実施例１３は、ドット接着における接着面積の割合が高すぎた為、トリコット基布を全面接着したものとほとんど差がなくなり、柔軟性に改善の余地を残すものであった。
【０１１０】
実施例１４は、フィルムの厚みが好ましい範囲より過小であったため、耐水圧及び剥離強力に改善の余地を残すものであった。
実施例１５は、接着樹脂の厚みが過大であったため、接着時に余剰の接着樹脂がトリコット基布の表面まで浸透して、外観的に劣るものであった。
【０１１１】
比較例１は、トリコット基布の閉じ目の編目が５５％未満であったため、編立及び染色・積層加工において伝線等の欠点を多く発生してしまい、外観的にも劣るものであった。
比較例２は、フィルムにポリエステル系ポリウレタン樹脂を使用した為、洗濯・滅菌処理を５０回繰り返した後にフィルムの劣化を起こし、洗濯・滅菌処理によりフィルムが劣化し、８０回の時点でフィルム破れ・剥離が発生した。すなわち、耐久性に劣るものであった。
【０１１２】
比較例３は、フィルムが透過タイプであった為、ドット接着側のトリコット基布の組織柄と、ドット接着した接着樹脂部分が全面接着側からも透けて見え、これが全面接着側のトリコット基布と重なり合ってモアレを引き起こした。加えて、フィルムにトリコット基布と同系色の色がついていなかった為、実施例と比較して洗濯・滅菌１００回後の変色・退色が非常に大きいものであった。
【０１１３】
比較例４は、接着樹脂にポリカーボネート系ではないポリウレタン樹脂を使用した為、洗濯・滅菌による剥離が発生した。
【０１１４】
比較例５は、トリコット基布の片面にしかトリコット基布を積層していなかった為、洗濯でのピンホール発生や滅菌時のフィルム同士の貼り付き・破れ等が発生した。
比較例６は、トリコット基布がフィラメントではなく紡績糸から構成されていた為、生地表面の毛羽立ちが多く、また洗濯回数を増す毎に毛羽立ちの程度が大きくなり、外観上劣るものであった。また、生地から脱落する毛羽・ホコリ等も多く、これらの患部・術部への付着が懸念されるものであった。
【０１１５】
比較例７は、フィルムの色目がトリコット基布と同系色でなかった為、生地全体としての一見色がシャンブレー調になり、外観として目への負担が大きいものとなった。
【図１】
0005539143.tif 000003